(57)【要約】【課題】ワイヤレスのリモコン装置の紛失を防止した電気機器を提供する。【解決手段】本体受信手段１４を有する電気機器本体２と、この電気機器本体２へ信号を送信するリモコン送信手段３８を有して遠隔操作により操作するリモコン装置５とを備えた空気調和機１において、前記本体受信手段１４はリモコン装置５からの信号を受信すると受信確認信号を送信する本体送信手段１６を備え、リモコン装置５には受信確認信号を受信するリモコン受信手段１４を設けるとともに、前記リモコン送信手段１６が信号を送信した後、所定時間経過しても受信確認信号を受信しない場合に警報を出力する警報出力手段４２を設けた。【選択図】            図５
2004363737.tif 000002
【特許請求の範囲】
【請求項１】
本体受信手段を有する電気機器本体と、この電気機器本体へ信号を送信するリモコン送信手段を有して遠隔操作により操作するリモコン装置とを備えた電気機器において、
前記本体受信手段はリモコン装置からの信号を受信すると受信確認信号を送信する本体送信手段を備え、リモコン装置には受信確認信号を受信するリモコン受信手段を設けるとともに、前記リモコン送信手段が信号を送信した後、所定時間経過しても受信確認信号を受信しない場合に警報を出力する警報出力手段を設けたことを特徴とする電気機器。
【請求項２】
前記リモコン装置は定期時間毎にリモコン送信手段から電気機器本体へ温度信号を送信し、前記警報出力手段はリモコン装置が温度信号を送信した後、所定時間経過しても本体からの受信確認信号を受信しない場合に警報を出力することを特徴とする請求項１に記載の電気機器。
【請求項３】
前記電気機器は本体送信手段から定期時間毎にリモコン探知信号を送信し、リモコン装置はリモコン探知信号の送信後、所定時間経過しても受信しない場合に、警報出力手段から警報を出力することを特徴とする請求項１または２に記載の電気機器。
【請求項４】
本体受信手段を有する電気機器本体と、この電気機器本体へ信号を送信するリモコン送信手段を有して遠隔操作により操作するリモコン装置とを備えた電気機器において、
前記本体受信手段はリモコン装置からの信号を受信すると受信確認信号を送信する本体送信手段を備え、リモコン装置には受信確認信号を受信するリモコン受信手段を設けるとともに、このリモコン受信手段が受信確認信号を受信しない場合に前記リモコン装置からの信号を所定回数繰り返し送信するとともに、所定回数繰り返し送信しても受信確認信号を受信しないときに警報を出力する警報出力手段をリモコン装置に設けたことを特徴とする電気機器。
【請求項５】
前記リモコン装置は定期時間毎にリモコン送信手段から電気機器本体へ温度信号を送信し、前記リモコン受信手段が受信確認信号を受信しない場合には前記温度信号を所定回数繰り返し送信するとともに、所定回数繰り返し送信しても受信確認信号を受信しないときには前記警報出力手段から警報を出力することを特徴とする請求項４に記載の電気機器。
【請求項６】
前記電気機器本体は本体送信手段から定期時間毎にリモコン探知信号を送信し、リモコン装置がリモコン探知信号を受信しない場合には前記リモコン探知信号を所定回数繰り返し送信するとともに、所定回数繰り返し送信しても受信しないときには警報出力手段から警報を出力することを特徴とする請求項４または５に記載の電気機器。
【請求項７】
前記警報出力手段は音声を発生することを特徴とする請求項１〜６のいずれかに記載の電気機器。
【請求項８】
前記警報出力手段は光を発生することを特徴とする請求項１〜６のいずれかに記載の電気機器。
【請求項９】
前記警報出力手段は音声と光とを組み合わせて発生することを特徴とする請求項１〜６のいずれかに記載の電気機器。
【請求項１０】
前記電気機器が空気調和機であることを特徴とする請求項１〜９のいずれかに記載の電気機器。
【発明の詳細な説明】
【０００１】
【発明の属する技術分野】
本発明は、空気調和機等の電気機器を遠隔操作により操作するリモコン装置の探知手段に関する。
【０００２】
【従来の技術】
従来、空気調和機等の電気機器を遠隔操作により操作するためのワイヤレスのリモコン装置（以下単にリモコンという）が知られている。（例えば、特許文献１参照）。
【０００３】
このリモコンは、空気調和機の運転条件の設定や変更などの入力を行う複数のスイッチを備え、これらスイッチを操作することにより空気調和機の運転条件を設定するものである。
【０００４】
【特許文献１】
特開２００２−３５４５６４公報
【０００５】
【発明が解決しようとする課題】
しかしながら、最近の電気機器にはリモコンにより操作するものが多く、複数のリモコンが家庭内に存在するため、リモコンの特定がしづらかったり、或いはリモコンが見つからないという事態を起こしていた。
【０００６】
本発明の目的は、上述した従来の事情に鑑みなされたものであり、ワイヤレスのリモコン装置の紛失を防止する電気機器を提供することにある。
【０００７】
【課題を解決するための手段】
上記目的を達成するために、請求項１に記載の発明は、本体受信手段を有する電気機器本体と、この電気機器本体へ信号を送信するリモコン送信手段を有して遠隔操作により操作するリモコン装置とを備えた電気機器において、前記本体受信手段はリモコン装置からの信号を受信すると受信確認信号を送信する本体送信手段を備え、リモコン装置には受信確認信号を受信するリモコン受信手段を設けるとともに、前記リモコン送信手段が信号を送信した後、所定時間経過しても受信確認信号を受信しない場合に警報を出力する警報出力手段を設けたことを特徴とする。
【０００８】
請求項２に記載の発明は、請求項１に記載の電気機器において、前記リモコン装置は定期時間毎にリモコン送信手段から電気機器本体へ温度信号を送信し、前記警報出力手段はリモコン装置が温度信号を送信した後、所定時間経過しても本体からの受信確認信号を受信しない場合に警報を出力することを特徴とする。
【０００９】
請求項３に記載の発明は、請求項１または２に記載の電気機器において、前記電気機器は本体送信手段から定期時間毎にリモコン探知信号を送信し、リモコン装置はリモコン探知信号の送信後、所定時間経過しても受信しない場合に、警報出力手段から警報を出力することを特徴とする。
【００１０】
請求項４に記載の発明は、本体受信手段を有する電気機器本体と、この電気機器本体へ信号を送信するリモコン送信手段を有して遠隔操作により操作するリモコン装置とを備えた電気機器において、前記本体受信手段はリモコン装置からの信号を受信すると受信確認信号を送信する本体送信手段を備え、リモコン装置には受信確認信号を受信するリモコン受信手段を設けるとともに、このリモコン受信手段が受信確認信号を受信しない場合に前記リモコン装置からの信号を所定回数繰り返し送信するとともに、所定回数繰り返し送信しても受信確認信号を受信しないときには警報を出力する警報出力手段をリモコン装置に設けたことを特徴とする。
【００１１】
請求項５に記載の発明は、請求項４に記載の電気機器において、前記リモコン装置は定期時間毎にリモコン送信手段から電気機器本体へ温度信号を送信し、前記リモコン受信手段が受信確認信号を受信しない場合には前記温度信号を所定回数繰り返し送信するとともに、所定回数繰り返し送信しても受信確認信号を受信しないときには前記警報出力手段から警報を出力することを特徴とする。
【００１２】
請求項６に記載の発明は、請求項４または５に記載の電気機器において、前記電気機器本体は本体送信手段から定期時間毎にリモコン探知信号を送信し、リモコン装置がリモコン探知信号を受信しない場合には前記リモコン探知信号を所定回数繰り返し送信するとともに、所定回数繰り返し送信しても受信しないときには警報出力手段から警報を出力することを特徴とする。
【００１３】
請求項７に記載の発明は、請求項１〜６のいずれかに記載の電気機器において、前記警報出力手段は音声を発生することを特徴とする。
【００１４】
請求項８に記載の発明は、請求項１〜６のいずれかに記載の電気機器において、前記警報出力手段は光を発生することを特徴とする。
【００１５】
請求項９に記載の発明は、請求項１〜６のいずれかに記載の電気機器において、前記警報出力手段は音声と光とを組み合わせて発生することを特徴とする。
【００１６】
請求項１０に記載の発明は、請求項１〜９のいずれかに記載の電気機器において、前記電気機器が空気調和機であることを特徴とする。
【００１７】
【発明の実施の形態】
以下、本発明の一実施形態を添付図面に従って説明する。図１は本発明の一実施形態における空気調和機に用いられるワイヤレスのリモコン装置と空気調和機との関係を示す説明図、図２は空気調和機の室内機制御部の要部ブロック図、図３はワイヤレスのリモコン装置制御部の要部ブロック図、図４はリモコンマイクロコンピュータ（以下、単にマイコンと記す）制御部の要部ブロック図、図５はワイヤレスのリモコン装置の警報の制御手順を示したフローチャートである。
【００１８】
図１において、１は空気調和機であり、室内機（電気機器本体）２、室外機３及び冷媒配管４等から構成される。５はワイヤレスのリモコン装置（以下、単にリモコンと記す）で、使用者のスイッチ操作により室内機２へ運転制御信号が送信され、空気調和機１の運転が制御される。
【００１９】
図２において、室内機２の内部には室内機制御部１０が設けられ、前記室内機制御部１０は、前記室内機２の制御全般を司る室内マイコン１２と、リモコン５からの制御信号を受信する本体受信手段１４と、室内機２からリモコン５へ制御信号を送信する本体送信手段１６とから構成されている。
【００２０】
図３において、リモコン５（図１参照）にはリモコン制御部３０が設けられ、前記リモコン制御部３０は、空気調和機１（図１参照）の運転／停止や設定変更などの入力を行うリモコン入力手段３２と、前記入力に基づき空気調和機１の設定状況を表示するリモコン表示手段３４と、リモコン５の制御全般を司るマイコン３６と、室内機２からの制御信号を受信するリモコン受信手段４０と、リモコン５の所在場所を使用者に知らせるための警報出力手段４２と、リモコン５周囲の温度を検出する温度検出手段４４と、リモコン５から送信された制御信号の送信回数をカウントするリモコンカウンタ４６と、室内機２へ制御信号及び前記温度検出手段４４によって検出された温度データを送信するリモコン送信手段３８とから構成されている。なお、前記温度データの信号は例えば５分に１回の頻度で室内機２へ定期的に送信される。
【００２１】
図４において、前記マイコン３６は、リモコン入力手段３２のスイッチ操作に基づき、リモコン送信手段３８から制御信号を送信してから、室内機制御部１０の本体受信手段１４によって制御信号を受信後、本体送信手段１６によって送信された受信確認信号を、リモコン受信手段４０が受信するまでの時間を計測する時間計測部５０とから構成されている。
【００２２】
次に、図５のフローチャートを参照しながらリモコンの警報出力手段が作動する際の手順を説明する。
【００２３】
リモコン５に配設されたリモコン入力手段３２（図３参照）がＯＮされたか否かを判断し（ステップＳ１）、前記リモコン入力手段３２がＯＮされたと判断すると、リモコンカウンタ４６（図３参照）をリセットする（Ｎ＝０、ステップＳ２）。
【００２４】
次に、マイコン３６内部の時間計測部５０（図４参照）において、計測時間を一度リセットした後、リモコン送信手段３８が制御信号を室内機２へ送信する（ステップＳ３）。
【００２５】
次に、マイコン３６内部の時間計測部５０は、計時を開始する（ステップＳ４）。
【００２６】
次に、リモコンカウンタ４６は、リモコン送信手段３８が１回目の送信を行ったことに伴い、リモコンカウンタ４６のＮに１を加える（ステップＳ５）。
【００２７】
次に、リモコンカウンタ４６のＮの回数が、４回を越えたか否かを判断し（ステップＳ６）、４回を越えていないと判断されると、リモコン受信手段４０が室内機２からの受信確認信号を受信したか否かを判断する（ステップＳ８）。
【００２８】
ステップＳ８において、リモコン受信手段４０が室内機２からの受信確認信号を受信していないと判断すると、時間計測部５０において計時された時間データが５秒以内か否かを判断し（ステップＳ９）、５秒経過するまでは、ステップＳ８の判断を繰り返す。
【００２９】
次にステップＳ８において、リモコン受信手段４０が室内機２からの受信確認信号を受信したと判断するとスタートへ戻る。
【００３０】
また、ステップＳ９において、時間計測部５０において計時された時間データが５秒を超えてしまった場合には、ステップＳ３に戻って判断を繰り返す。
【００３１】
そして、ステップＳ６において、リモコンカウンタ４６のＮの回数が５回となったと判断されると、リモコン受信手段４０が前記室内機２からの受信確認信号を受信できなかったとして、警報出力手段４２によって警報が１０秒間出力された後、スタートへ戻る（ステップＳ７）。この警報は例えばブザーなどの音声信号によって成される。
【００３２】
一方、ステップＳ１において、リモコン入力手段３２がＯＮされていないと判断されると、前記温度検出手段４４（図３参照）によって検出された温度データを前記マイコン３６を介し、リモコン送信手段３８から室内機２へ送信されたか否かの判断を行う（ステップＳ１０）。
【００３３】
ステップＳ１０において、温度検出手段４４（図３参照）によって検出された温度データをマイコン３６を介し、リモコン送信手段３８から室内機２へ送信されたと判断すると、リモコンカウンタ４６（図３参照）をリセットする（Ｎ＝０、ステップＳ１１）。
【００３４】
次に、マイコン３６内部の時間計測部５０（図４参照）において、計測時間を一度リセットする。（ステップＳ１２）。
【００３５】
次に、マイコン３６内部の時間計測部５０は、計時を開始する（ステップＳ１３）。
【００３６】
次に、リモコンカウンタ４６は、リモコン送信手段３８が１回目の送信を行ったことに伴い、リモコンカウンタ４６のＮに１を加える（ステップＳ１４）。
【００３７】
次に、リモコンカウンタ４６のＮの回数が、４回を越えたか否かを判断し（ステップＳ６）、４回を越えていないと判断されると、リモコン受信手段４０が室内機２からの受信確認信号を受信したか否かを判断する（ステップＳ１７）。
【００３８】
一方、ステップＳ１５において、リモコンカウンタ４６のＮの回数が５回となったと判断されると、リモコン受信手段４０が室内機２からの受信確認信号を受信できなかったとして、警報出力手段４２によって警報が１０秒間出力された後、スタートへ戻る（ステップＳ１６）。この警報は例えばブザーなどの音声信号によって成される。
【００３９】
次にステップＳ１７において、リモコン受信手段４０が室内機２からの受信確認信号を受信したと判断するとスタートへ戻る。
【００４０】
一方、ステップＳ１７において、リモコン受信手段４０が室内機２からの受信確認信号を受信していないと判断すると、時間計測部５０において計時された時間データが５秒以内か否かを判断し（ステップＳ１８）、５秒経過するまでは、ステップＳ１７の判断を繰り返す。
【００４１】
また、ステップＳ１８において、時間計測部５０において計時された時間データが５秒を超えてしまった場合には、ステップＳ１２に戻って判断を繰り返す。
【００４２】
このように、双方向通信可能な室内機２とリモコン５とにおいて、双方向通信が途絶えたことをリモコン５側で判断し、リモコン５から警報出力がなされることによって、使用者は容易にリモコン５の所在場所を確認することができ、室内機２とリモコン５が双方向通信可能でない状況であることを容易に知ることができる。
【００４３】
また、リモコンカウンタ４６のＮは、リモコン送信手段３８が５回目の制御信号又は温度データの送信を行ったと判断した場合には、室内機２とリモコン５との双方向通信ができない状態に有ると判断して使用者に警報出力によって告知するなど、リモコン５からの送信信号が室内機２に届かない状況にあることをも使用者に知らせることができる。
【００４４】
以上、本発明を上記実施の形態に基づいて説明したが、本発明はこれに限定されるものではない。
【００４５】
本実施形態では、リモコン５は受信確認信号を所定時間（５秒）以内に受信しない場合にリモコン５からの信号を所定回数繰り返し送信し、所定回数繰り返し送信しても受信確認信号を受信しないときに警報を出力するようにしているが、リモコン５からの信号を送信した後、繰り返し送信するしないにかかわらず、第２の所定時間（例えば２０秒）経過しても受信確認信号を受信しないとき  に警報を出力するようにしても良い。
【００４６】
本実施形態では本体受信手段１４がリモコン５からの信号を受信すると、受信確認信号を送信するようにしているが、この受信確認信号をリモコン探知信号として定期時間毎に送信するようにしても良い。これにより、リモコン操作時以外の時間帯にもリモコン５を探知して紛失を防ぐことができる。
【００４７】
また、例えば、図５におけるステップＳ９及びＳ１８では、５秒の時間を設定しているが全体の処理時間を短縮するために、例えば３秒であってもよい。
【００４８】
また、図５におけるステップＳ６及びＳ１５では、室内カウンタ２０のＮのカウントが５回となったところで、ステップＳ７による警報出力処理に移行しているが、全体の処理時間を短縮するために３回としてもよい。
【００４９】
また、図５のステップＳ７及びＳ１５における警報出力は、例えばＬＥＤなどを利用した発光信号によるものであってもよい。
【００５０】
また、図５のステップＳ７及びＳ１５における警報出力は、例えばブザーなどを利用した音声信号とＬＥＤなどを利用した発光信号の組み合せによるものであってもよいなど適宜応用可能である。
【００５１】
【発明の効果】
本発明によれば、電気機器本体から送信されるリモコン探知信号及び受信確認信号をリモコン装置が受信しない場合に、リモコン装置に設けられた警報出力手段を作動させ出力するようにしているので、リモコン装置は電気機器本体から信号の届く範囲に置かれるようになり、紛失を防止することができる。
【図面の簡単な説明】
【図１】本発明における空気調和機に用いられるワイヤレスのリモコン装置と空気調和機との関係を示す説明図である。
【図２】本発明における空気調和機の室内機制御部の要部ブロック図である。
【図３】本発明におけるワイヤレスのリモコン装置制御部の要部ブロック図である。
【図４】本発明におけるリモコンマイクロコンピュータ制御部の要部ブロック図である。
【図５】本発明におけるリモコン装置の警報出力手段が作動するときの手順を示したフローチャートである。
【符号の説明】
１  空気調和機
２  室内機（電気機器本体）
３  室外機
４  冷媒配管
５  リモコン装置
１０  室内機制御部
１２  室内マイコン
１４  本体受信手段
１６  本体送信手段
３０  リモコン制御部
３２  リモコン入力手段
３４  リモコン表示手段
３６  リモコンマイクロコンピュータ
３８  リモコン送信手段
４０  リモコン受信手段
４２  警報出力手段
４４  温度検出手段
４６  リモコンカウンタ
５０  時間計測部
【図１】
2004363737.tif 000003
【図２】
2004363737.tif 000004
【図３】
2004363737.tif 000005
【図４】
2004363737.tif 000006
【図５】
2004363737.tif 000007